(57)【要約】【課題】軽量で快適な着用感が得られると共に、形状を自由に補整し保持することができるブラジャー及びブラジャー補整用パッドを提供する。【解決手段】ブラジャーは、袋状側地６に詰め物として粉末状発泡体７を充填してカップ１を形成している。ブラジャー補整用のパッド２１，３１は、袋状側地２６，３６に詰め物として粉末状発泡体７を充填して形成されている。【選択図】      図１
2004190162.tif 000002
【特許請求の範囲】
【請求項１】
袋状側地に詰め物として粉末状発泡体を充填することによりカップを形成したブラジャー。
【請求項２】
前記粉末状発泡体の最大外形寸法が５ｍｍ以下である請求項１に記載のブラジャー。
【請求項３】
前記袋状側地が合成繊維伸縮糸使いの編物又は織物からなる請求項１又は２に記載のブラジャー。
【請求項４】
前記合成繊維伸縮糸の繊度が１〜５ｄｔｅｘである請求項３に記載のブラジャー。
【請求項５】
袋状側地に詰め物として粉末状発泡体を充填して形成したブラジャー補整用パッド。
【請求項６】
前記粉末状発泡体の最大外形寸法が５ｍｍ以下である請求項５に記載のブラジャー補整用パッド。
【請求項７】
前記袋状側地が合成繊維伸縮糸使いの編物又は織物からなる請求項６に記載のブラジャー補整用パッド。
【請求項８】
前記合成繊維伸縮糸の繊度が１〜５ｄｔｅｘである請求項７に記載のブラジャー補整用パッド。
【発明の詳細な説明】
【０００１】
【発明が属する技術分野】
本発明はブラジャー及びブラジャー補整用パッドに関し、更に詳しくは、軽量であると共に、カップまたはパッドの形状を自由に設定できるブラジャー及びブラジャー補整用パッドに関する。
【０００２】
【従来の技術】
ブラジャーを着用した時のバスト形状を美しく見せるため、カップに色々な工夫を施したものが多数提案されている。これらのうち代表的なものは、スポンジや不織布などを所望のバスト形状に成形した成形体をカップ内に挿入するようにしたものが多い。しかし、このブラジャーでは、カップの形状が一定に固定されてしまっているため、多くのユーザーの多様な好みに十分に対応することができないという問題があった。
【０００３】
このような多様性に対する対策として、カップを形成する側地内にゼリー状のゲル状物を充填するようにしたものが提案されている。しかし、ゲル状物は比重が大きいため着用中に次第に下方へ移動し、着用当初の形状を長く維持することができないという問題を有するほか、重いため必ずしも快適な着用感が得られないという欠点があった。
【０００４】
【発明が解決しようとする課題】
本発明の目的は、上述した従来の問題を解消し、軽量で快適な着用感が得られると共に、形状を自由に補整し保持することができるブラジャー及びブラジャー補整用パッドを提供することにある。
【０００５】
【課題を解決するための手段】
上記目的を達成する本発明のブラジャーは、袋状側地に詰め物として粉末状発泡体を充填することによりカップを形成したことを特徴とするものである。
【０００６】
また、本発明のブラジャー補整用パッドは、袋状側地に詰め物として粉末状発泡体を充填して形成したことを特徴とするものである。
【０００７】
本発明のブラジャーでは、上記のように袋状側地に充填する詰め物が粉末状発泡体であって軽量であるので、快適な着用感を得ることができる。かつ、粉末状発泡体は外力を加えれば側地内を移動して側地の外形状を容易に変えるので、カップ形状を好きな形状にすることができる。
【０００８】
また、ブラジャー補整用パッドの場合も、粉末状発泡体が軽量であるので、補整用として快適な着用感を得ることができ、かつ、粉末状発泡体を側地内で移動させることにより外形状を任意に変えられるので、好みのバスト形状を得ることができる。
【０００９】
【発明の実施の形態】
図１（Ａ），（Ｂ）は、本発明の実施形態からなるブラジャーを例示したものである。
【００１０】
図に示すブラジャーにおいて、１はカップ、２は吊り紐、３はバンドである。これらカップ１、吊り紐２、バンド３は、それぞれ左右一対づつ設けられている（図１（Ａ）参照）。
【００１１】
カップ１は、表地４と裏地５から形成した袋状側地６に、詰め物として粉末状発泡体７を充填して構成されている（図１（Ｂ）参照）。表地４と裏地５は、好ましくは編物又は織物から構成され、さらに好ましくは合成繊維伸縮糸を使用した編物や織物から構成されているものがよく、特に編物がよい。
【００１２】
上記カップ１は、外力を加えれば内側の粉末状発泡体７を内部移動させて、その外形状や厚みを任意に変え、かつその変形後の形状を崩れないように保持することができる。したがって、この粉末状発泡体７の移動操作を、ブラジャーの着用前、或いは着用後に行うようにすれば、カップ１の形状を各個人の好みに合ったものにすることができる。また、粉末状発泡体７は軽量であるので、通常のブラジャーと変わらない快適な着用感を得ることができる。
【００１３】
図２（Ａ），（Ｂ）は、本発明の実施形態からなるブラジャー補整用パッドを示す。このパッド２１は、表地２４と裏地２５からなる袋状側地２６に、粉末状発泡体７を充填することにより構成され、全体形状がブラジャーのカップに相当している。
【００１４】
また、図３（Ａ），（Ｂ）は、他の実施形態からなるブラジャー補整用パッドを示す。このパッド３１では、表地３４と裏地３５からなる袋状側地３６に粉末状発泡体７を充填して構成されている点は、図２のパッドの場合と同じであるが、カップの一部を補整するように切片状になっている点が異なっている。
【００１５】
図２および図３のパッドは、通常のブラジャーを着用する際に、バスト形状を整える補助部品として使用される。例えば、図２のパッド２１の場合は、通常のブラジャーに対してカップの内側に挿入して、バスト形状を補整するように使用される。また、図３のパッド３１の場合は、ブラジャーのカップの内側にバストの一部を部分補整するように挿入される。
【００１６】
いずれのパッド２１，３１も、袋状側地２６，３６内の粉末状発泡体７を部分的に移動させることによりパッド２１，３１の外形状や厚みを変化させ、所望とする形状にし、かつその形状を保持することができる。したがって、通常のブラジャーを着用する際に、このパッド２１，３１を使用すれば、簡単に好みのバスト形状に補整することができる。また、粉末状発泡体自体は軽量であるので、軽快な着用感にすることができる。
【００１７】
本発明において、粉末状発泡体としては、発泡スチレン、発泡ウレタンなどの樹脂発泡体や、紙を原料に加工された紙発泡体が好ましく使用される。粉末の形状は、粒状のみに限定されず、フレーク状や破片状なども含まれる。しかし、好ましくは粒状であって、かつ球又は球に近似した形状にしたものがよい。このような球又は球に近い形状の粉末状発泡体であることにより、袋状側地に充填したときその袋状側地の外側形状を容易に変形操作することが可能になる。
【００１８】
粉末状発泡体の大きさとしては、最大外形寸法が５ｍｍ以内になるようにすることが好ましい。さらに好ましくは、０．０１〜１ｍｍ、最も好ましくは０．０５〜０．７ｍｍの範囲にするとよい。粉末状発泡体の最大外形寸法が５ｍｍよりも大きいと、発泡体の部分移動が不円滑になり、袋状側地の外形変更を円滑に整え難なる。また、最大外形寸法が０．０１ｍｍよりも小さい粉末状発泡体については、製造が難しくなる。
【００１９】
袋状側地の表地や裏地には、編物又は織物を使用することが好ましい。特にナイロン、ポリエステル等の合成繊維伸縮糸で編成又は織成したものが好ましい。特に仮撚加工糸等の伸縮糸使いの編物にすることが好ましい。また、伸縮糸としては、繊度が０．１〜５ｄｔｅｘの細繊度の糸を使用することが好ましい。このような細繊度の伸縮糸を使った編物で袋状側地を形成することにより、カップやパッドとしての袋状側地の外形状を補整しやすくし、しかもソフトで優れた着用感を得ることができる。
【００２０】
【発明の効果】
上述したように本発明のブラジャーによれば、袋状側地に充填する詰め物が粉末状発泡体であって軽量であるので、快適な着用感を得ることができる。かつ、粉末状発泡体は外力を加えれば側地内を移動して側地の外形状を容易に変えるので、カップ形状を好きな形状にすることができる。また、ブラジャー補整用パッドの場合は、粉末状発泡体が軽量であるので、補整用として快適な着用感を得ることができ、かつ、粉末状発泡体を側地内で移動させることにより外形状を任意に変えられるので、好みのバスト形状を得ることができる。
【図面の簡単な説明】
【図１】本発明の実施形態からなるブラジャーを示し、（Ａ）は斜視図、（Ｂ）は（Ａ）におけるＡ−Ａ矢視図である。
【図２】本発明の実施形態からなるブラジャー補整用パッドを示し、（Ａ）は正面図、（Ｂ）は（Ａ）におけるＢ−Ｂ矢視図である。
【図３】本発明の他の実施形態からなるブラジャー補整用パッドを示し、（Ａ）は正面図、（Ｂ）は（Ａ）におけるＣ−Ｃ矢視図である。
【符号の説明】
１  カップ
４  表地
５  裏地
６  袋状側地
７  粉末状発泡体
２１，３１  パッド
２４，３４  表地
２５，３５  裏地
２６，３６  袋状側地
【図１】
2004190162.tif 000003
【図２】
2004190162.tif 000004
【図３】
2004190162.tif 000005